(57)【要約】【課題】本開示では、片側が凸形状（凹形状）のレンズに対してアポダイゼーション機能を付すことが可能な光学レンズの製造方法を提供する。【解決手段】本開示における光学レンズの製造方法は、片側が凸形状、（凹形状）のレンズ面に対して、銀化合物を含んだ感光剤をスピンコートする第１のステップと、光軸中心から光軸垂直方向に離れるに従って光透過率を順次上昇させたマスクを使用し、前記感光剤の露光を行う第２のステップと、前記露光が行われた感光剤を現像液で銀像にし、当該感光剤に光軸中心から光軸垂直方向に離れるに従って光透過率が順次低下するパターンを出現させる第３のステップと、現像を停止し、露光されなかった銀化合物を除去する第４のステップと、を有する。【選択図】図４
2015094911.tif 000002
【特許請求の範囲】
【請求項１】
片側が凸形状、（凹形状）のレンズ面に対して、銀化合物を含んだ感光剤をスピンコートする第１のステップと、光軸中心から光軸垂直方向に離れるに従って光透過率を順次上昇させたマスクを使用し、前記感光剤の露光を行う第２のステップと、前記露光が行われた感光剤を現像液で銀像にし、当該感光剤に光軸中心から光軸垂直方向に離れるに従って光透過率が順次低下するパターンを出現させる第３のステップと、現像を停止し、露光されなかった銀化合物を除去する第４のステップと、
を有する光学レンズの製造方法。
【請求項２】
前記マスクは、光軸中心から光軸垂直方向に離れるに従って光透過率を順次上昇させたものである、
請求項１に記載の光学レンズの製造方法。
【発明の詳細な説明】
【技術分野】
【０００１】
本開示は、アポダイゼーション機能を備える光学レンズの製造方法に関する。
【背景技術】
【０００２】
特許文献１は、アポダイゼーション機能を有する印刷膜を開示する。
【０００３】
光軸中心から光軸垂直方向に離れるに従って透過率が低下するような性質をアポダイゼーションと言い、この機能を有する光学系で撮像した画像は、焦点外れ像が柔らかなボケ像となる。
【０００４】
なお、他の背景技術として、ＮＤガラスからなる平凹レンズと、屈折率がＮＤガラスと同じ平凸レンズを張り合わせることで、アポダイゼーション機能を有するフィルタを実現する技術が存在する。
【先行技術文献】
【特許文献】
【０００５】
【特許文献１】特開２００６−１４５８３１号公報
【発明の概要】
【発明が解決しようとする課題】
【０００６】
しかしながら、従来のアポダイゼーション機能を有する技術では、片側が凸形状、（又は凹形状）のレンズに対してアポダイゼーション機能を付すことが難しい。
【０００７】
そこで本開示では、片側が凸形状（凹形状）のレンズに対してアポダイゼーション機能を付すことが可能な光学レンズの製造方法を提供する。
【課題を解決するための手段】
【０００８】
本開示における光学レンズの製造方法は、片側が凸形状、（凹形状）のレンズ面に対して、銀化合物を含んだ感光剤をスピンコートする第１のステップと、光軸中心から光軸垂直方向に離れるに従って光透過率を順次上昇させたマスクを使用し、前記感光剤の露光を行う第２のステップと、前記露光が行われた感光剤を現像液で銀像にし、当該感光剤に光軸中心から光軸垂直方向に離れるに従って光透過率が順次低下するパターンを出現させる第３のステップと、現像を停止し、露光されなかった銀化合物を取り除く第４のステップと、を有する。
【発明の効果】
【０００９】
本開示における製造方法は、片側が凸形状（凹形状）のレンズに対してアポダイゼーション機能を付すことができる。
【図面の簡単な説明】
【００１０】
【図１】実施の形態１にかかるアポダイゼーション機能を備えた光学レンズを有する光学系を示す模式図
【図２】図１の絞り近傍の一部拡大図
【図３】実施の形態１にかかるアポダイゼーション機能を有する光学レンズの製造装置の模式図
【図４】実施の形態１にかかるアポダイゼーション機能を有する光学レンズの製造ステップのフローチャート
【発明を実施するための形態】
【００１１】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１２】
なお、発明者（ら）は、当業者が本開示を十分に理解するために添付図面および以下の説明を提供するのであって、これらによって特許請求の範囲に記載の主題を限定することを意図するものではない。
【００１３】
（実施の形態１）
以下、図１〜４を用いて、実施の形態１を説明する。
【００１４】
［１−１．アポダイゼーション機能を有する光学レンズの構成（図１、図２）］
図１は、アポダイゼーション機能を有する光学レンズ（以下、アポダイゼーションレンズという）を用いた光学系全体をあらわす。図２は、図１の絞り近傍の一部拡大を示す図である。
【００１５】
図１では、８枚の光学レンズを有する光学系１００と、撮像素子２００と、を開示している。
【００１６】
光学系１００は、光学レンズＬ５と、光学レンズＬ６の間に絞りＳが配置されている。
光学レンズＬ６は、図２に示すように、両凸レンズ６０１を含んでいる。両凸レンズは、ガラス材料又は樹脂材料で実現可能である。また、光学レンズＬ６は、絞りＳが配置される側にアポダイゼーション機能を有する機能膜６０２が形成されている。機能膜６０２は、銀化合物を含んだ感光剤で構成される。感光剤には、例として富士フイルム株式会社製の富士黒白写真乳剤という材料を用いることができる。
【００１７】
アポダイゼーション機能を有する光学レンズＬ６は、絞りＳの近傍に設けられている。そのため、軸上光線と軸外光線のアポダイゼーション機能の効果の差を小さくできる。したがって、好ましいボケ画像を撮像素子２００に結像できるようになる。
【００１８】
なお、絞りＳに対して、凸形状の光学レンズＬ６を配置しているが、凹形状であってもよい。
【００１９】
［１−２．アポダイゼーション機能を有する光学レンズの製造プロセス（図３、図４）］
図３は、アポダイゼーション機能を有する光学レンズの製造プロセスの模式図である。図４は、アポダイゼーション機能を有する光学レンズの製造ステップのフローチャートである。
【００２０】
図３及び図４を用いて説明を行う。
【００２１】
製造プロセスは、ステップＳ１〜ステップＳ６を順次実施することで実現される。
【００２２】
ステップＳ１は、両凸レンズ６０１をスピンコーター５００の回転台に設置する。
【００２３】
ステップＳ２は、両凸レンズ６０１を所定の速度で回転させる。
【００２４】
ステップＳ３は、両凸レンズ６０１の片面に対して、ノズル５０１から感光剤を一定量吐出する。
【００２５】
ステップＳ４は、ノズル５０１から感光剤を吐出後、両凸レンズ６０１を所定時間回転させ、感光剤を所望の厚みに塗布する。塗布後、所定時間経過させ、感光剤を乾燥させる。
【００２６】
ステップＳ５は、マスク５０２を用いて感光剤の露光を行う。マスク５０２は、光軸中心から光軸垂直方向に離れるに従って光透過率を順次上昇させたものである。
【００２７】
ステップＳ６は、感光剤を現像し、銀像に変換する。露光されなかった銀化合物は定着処理によって取り除く。この結果、光学レンズＬ６は、光軸中心で透過率が高く、有効径の周縁付近で透過率の低いレンズとなる。すなわち、両凸レンズ６０１上に図３の機能膜６０２が形成される。
［１−３．効果］
実施の形態１の構成及び製造プロセスにより、凸形状を有する光学レンズに対して、アポダイゼーション機能を有する光学レンズを得ることができるようになる。結果、より好ましいボケ画像を撮像素子２００に結像できるようになる。
【００２８】
（他の実施の形態）
以上のように、本出願において開示する技術の例示として、実施の形態１を説明した。しかしながら、本開示における技術は、これに限定されず、適宜、変更、置き換え、付加、省略などを行った実施の形態にも適用可能である。また、上記実施の形態１で説明した各構成要素を組み合わせて、新たな実施の形態とすることも可能である。
【００２９】
以上のように、本開示における技術の例示として、実施の形態を説明した。そのために、添付図面および詳細な説明を提供した。
【００３０】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００３１】
また、上述の実施の形態は、本開示における技術を例示するためのものであるから、特許請求の範囲またはその均等の範囲において種々の変更、置き換え、付加、省略などを行うことができる。
【産業上の利用可能性】
【００３２】
本開示は、アポダイゼーション機能を備える光学レンズの製造方法に適用可能である。
【符号の説明】
【００３３】
１００  光学系
２００  撮像素子
Ｌ５  光学レンズ
Ｌ６  光学レンズ
Ｓ  絞り
６０１  両凸レンズ
６０２  機能膜
５００  スピンコーター
５０１  ノズル
５０２  マスク
【図１】
2015094911.tif 000003
【図２】
2015094911.tif 000004
【図３】
2015094911.tif 000005
【図４】
2015094911.tif 000006